(57)【要約】【課題】ルーバーを高架道路の桁下の地面側から着脱したり交換修理することが可能な高架道路裏面のルーバーシステム及び補修方法を提供する。【解決手段】平面が矩形状の背面板と、その四辺に設けられた側壁板とにより下面を開放した箱状体が形成されている。前記箱状体の下面に複数のルーバーが略平行に配置されている。前記複数のルーバーは、その上面部を少なくとも２本の直交方向に配置した保持材と結合したルーバーユニットとして構成されている。前記保持材が、前記箱状体において保持材と平行な配置の側壁板へ取り付けられている。前記背面板が、高架道路裏面の下地材へ吊り手段によって吊り支持される。【選択図】図１
2004137804.tif 000002
【特許請求の範囲】
【請求項１】
平面が矩形状の背面板と、同背面板の四辺に設けられた側壁板とにより下面を開放した箱状体が形成されており、
前記箱状体の下面に複数のルーバーが略平行に配置されていること、
前記複数のルーバーは、その上面部を少なくとも２本の直交方向に配置した保持材と結合したルーバーユニットとして構成されており、前記保持材が、前記箱状体において保持材と平行な配置の側壁板へ取り付けられていること、
前記背面板が、高架道路裏面の下地材へ、吊り手段によって吊り支持されることをそれぞれ特徴とする、高架道路裏面のルーバーシステム。
【請求項２】
平面が矩形状の背面板と、同背面板の長辺及び短辺に設けられた側壁板とにより下面を開放された箱状体が形成されており、
前記箱状体の下面に複数のルーバーが略平行に配置されていること、
前記複数のルーバーは、その上面部を、直交方向に配置した少なくとも２本の保持材と結合したルーバーユニットとして構成されており、前記の各保持材が、前記箱状体へ保持材と平行な配置に設けられユニット固定部材へ取り付けられていること、
前記背面板が、高架道路裏面の下地材へ、吊り手段によって吊り支持されることをそれぞれ特徴とする、高架道路裏面のルーバーシステム。
【請求項３】
下面を開放された箱状体の中に吸音材が充填されていることを特徴とする、請求項１又は２に記載した高架道路裏面のルーバーシステム。
【請求項４】
背面板に下方へ屈曲した１乃至複数個の溝形部が形成されており、背面板と側壁板が形成する箱状体の中へ充填した吸音材の上面位置は前記溝形部の下底面へ接触して規制され、同吸音材の上面と背面板との間に空隙が確保されていること、
前記溝形部の溝内に吊り金具が設置され、前記吊り金具に頭を支持された上向きのボルトを吊り手段として背面板が高架道路裏面の下地材へ吊り支持されること、
背面板の溝形部の両端は側壁板によって閉鎖されていることをそれぞれ特徴とする、請求項１又は２又は３に記載した高架道路裏面のルーバーシステム。
【請求項５】
箱状体内の長辺方向の中間位置に、短辺方向の側壁板と平行な配置でユニット固定部材が設けられており、このユニット固定部材にルーバーユニットの保持材が取り付けられていることを特徴とする、請求項１又は２に記載した高架道路裏面のルーバーシステム。
【請求項６】
ルーバーユニットの保持材は、複数のルーバーが相互間に間隔をあけて平行に配置された間隔部分を利用して、箱状体の側壁板或いはユニット固定部材へ取付金具により取り付けられていることを特徴とする、請求項１又は２又は５に記載した高架道路裏面のルーバーシステム。
【請求項７】
ルーバーユニットの保持材には、複数のルーバーが相互間に間隔をあけて平行に配置された間隔部分にボルト孔が複数設けられており、箱状体の側壁板およびユニット固定部材には、保持材に設けられた前記ボルト孔と対応する位置に、取付用ボルトの頭を通す口径の円孔、及び同円孔と一連に同取付用ボルトの軸部を通す幅寸で長孔を形成して成るボルト孔が設けられており、下方から前記円孔へ頭を通し前記長孔へ軸部を位置させた取付用ボルトの軸部へ保持材のボルト孔を通し、下方からナットを締め込んでボルト止めによる取り付けが行われていることを特徴とする、請求項１又は２又は５又は６に記載した高架道路裏面のルーバーシステム。
【請求項８】
ボルト止め用のナットとして緩み止めナットが使用されていることを特徴とする、請求項７に記載した高架道路裏面のルーバーシステム。
【請求項９】
取付用ボルトの首部に軸部を幅狭にする平面部が形成されており、側壁板及びユニット固定部材のボルト孔における長孔の幅寸は前記平面部の位置におけるボルト軸部の幅寸を通し得る大きさとされ、取付用ボルトは首部の平面部を前記長孔へ通してボルト止めが行われていることを特徴とする、請求項７又は８に記載した高架道路裏面のルーバーシステム。
【請求項１０】
背面板の長辺方向の側壁板の下縁に内方へ折り曲げたリップ部が形成されており、短辺方向の側壁板及び中間位置のユニット固定部材の両端部は、その下縁部を前記リップ部の上に載せて背面板と結合されており、ルーバーの保持材は前記両側のリップ部の内法寸法よりも短く形成されていることを特徴とする、請求項１又は２又は５に記載した高架道路裏面のルーバーシステム。
【請求項１１】
ルーバーは、上面に開口を有する倒立台形状の中空部材であり、その上面の中央部に下向きに曲げたリップの間の平行な間隔部が吹き抜け開口部として形成されており、ルーバーの前記両側のリップの下縁に掛け止めた吊り具、および同吊り具の中央部に上向きに設けられ前記吹き抜け開口を上方へ立ち上がるボルトが保持材のボルト孔へ通され、上方からナットが締め込まれていることを特徴とする、請求項１又は２に記載した高架道路裏面のルーバーシステム。
【請求項１２】
ルーバーには、その上面部を除く各面に多数の吸音孔が設けられていることを特徴とする、請求項１及び２又は５ないし７並びに１１のいずれか一に記載した高架道路裏面のルーバーシステム。
【請求項１３】
ユニット固定部材は断面がＺ形状の板材から成り、その上側フランジが背面板と結合されており、下側フランジにルーバーの保持材がボルト止めで取り付けられていることを特徴とする、請求項２又は５又は６及び７又は９及び１０のいずれか一に記載した高架道路裏面のルーバーシステム。
【請求項１４】
短辺方向の側壁板は上下に同じ向きのフランジを有する溝形鋼状の板材から成り、その上側フランジは背面板に結合され、下側フランジはその両端部の下面を長辺方向の側壁板のリップ部の上に載せていることを特徴とする、請求項１ないし７又は９及び１０のいずれか一に記載した高架道路裏面のルーバーシステム。
【請求項１５】
背面板の上面部に、落下防止用ワイヤーを通す孔を備えた吊り金具がヒンジを介して起伏自在に設置されていることを特徴とする、請求項１ないし７又は９及び１０並びに１３又は１４のいずれか一に記載した高架道路裏面のルーバーシステム。
【請求項１６】
平面が矩形状の背面板と、背面板の四辺に設けられた側壁板とにより下面を開放した箱状体を形成し、その背面板を高架道路裏面の下地材へ吊り手段によって吊り支持されており、且つ、前記箱状体の下面に略平行に配置する複数のルーバーは、各々の上面部を、直交方向に配置した少なくとも２本の保持材と結合したルーバーユニットとして構成し、前記保持材が、前記箱状体において保持材と平行な配置の側壁板又はユニット固定部材の下縁部と、前記複数のルーバー相互間の間隔部分の位置を利用して取付金具により取り付けた高架道路裏面のルーバーを補修する方法であって、
前記取付金具を下方側から解除することによって、前記ルーバーユニットを保持材と共に取り外し、
次いで、複数のルーバーと、その上面部に該ルーバーと直交する方向に取付けられた複数の保護材とより成る新規のルーバーユニットを前記箱状体の側壁板又はユニット固定部材に下方側から取付金具により取り付けることを特徴とする、高架道路裏面のルーバーの補修方法。
【請求項１７】
ルーバーユニットの保持材には、複数のルーバーが相互間に間隔をあけて平行に配置された間隔部分にボルト孔が複数設けられており、箱状体の側壁板およびユニット固定部材には、保持材に設けられた前記ボルト孔と対応する位置に、取付用ボルトの頭を通す口径の円孔、及び同円孔と一連に同取付用ボルトの軸部を通す幅寸で長孔を形成して成るボルト孔が設けられており、下方から前記円孔へ頭を通し前記長孔へ軸部を位置させた取付用ボルトの軸部へ保持材のボルト孔を通し、下方からナットを締め込んでボルト止めによる取り付けが行われることを特徴とする、請求項１６に記載した高架道路裏面のルーバーの補修方法。
【発明の詳細な説明】
【０００１】
【発明の属する技術分野】
この発明は、高架道路の桁下裏面（以下、高架道路裏面という。）の景観を向上し、或いは高架下を走行する車や電車などが発する騒音が高架道路の裏面に反射して周辺に拡散すること、又は高架上を走行する車輛が発する振動が床板を通じて伝わる二次伝播音を低減する吸音機能を働くルーバーシステムとその補修方法の技術分野に属する。
更に云えば、背面板と側壁板で下面開放の箱状体を形成し、前記箱状体内に吸音材を充填し、開放された下面側に複数のルーバーを配置するが、前記複数のルーバーは箱状体の大きさを１単位とするルーバーユニットとして構成し、該ルーバーユニットを高架道路の桁下の地面側（下方側）から着脱したり交換修理することが可能に構成した高架道路裏面のルーバーシステム及び補修方法に関する。
【０００２】
【従来の技術】
従来、高架道路裏面を見上げた際の景観を向上し、合わせて高架下を走行する車や電車などが発する騒音が高架道路裏面に反射して周辺に拡散や高架上を走行する車輛が発する振動が床板を通じて伝わる二次伝播音を低減する吸音機能を働き、高架道路等の桁下部分の保守点検のための歩廊を提供する手段として、下記の技術が知られている。
【０００３】
本出願人の名義に係る特許文献１に開示された「桁下裏面側の足場兼用吸音システム」は、桁下裏面に吊り下げた小梁に吸音材を歩廊材と共に水平方向に敷設して構成されている。前記小梁は一定の間隔をあけて水平に設置し、該小梁の下側フランジの下面に複数の金属製ルーバーを一定の間隔をあけて平行にボルト止めし、前記ルーバーの上に吸音材を載置する。吸音材の上面は小梁の上側フランジの上面と同等レベルとし、小梁の上側フランジの上面に歩廊材として波形プレートを敷設した構成である（主に請求項１記載の発明）。
したがって、桁下裏面側の足場兼用吸音システムを構成する各部材は、桁下裏面へ吊り下げた小梁に対して順に組み上げてゆく方法で構築される。
【０００４】
特許文献２に開示された「吸音パネル」は、周側壁を形成する枠材を枠組みして上下面を開放されたパネル枠を形成し、このパネル枠の下面側に複数のルーバーを一定の間隔をあけて取り付け、同パネル枠内の前記ルーバーの上に吸音材を充填し、同パネル枠の上面側に遮蔽板（背面板）を取り付けて閉塞した構成である。
要するに複数部材を統合しユニット化した構成が注目される。前記遮蔽板が歩廊材を兼ねる旨の記載も認められる。
【０００５】
特許文献３に開示した「高架道路裏面吸音板用ユニット式ルーバーシステム」は、背面板の長手方向の両側辺に側壁部を有し、短手方向の辺には側壁がないか又は側壁の一部分を小さな幅寸で有し、全体として下向きの溝形状に形成されている。前記背面板の短手方向の辺の側壁を形成する端部板は、同短手方向の辺と同等な長さを有し、前記側壁部と同等な高さを有し、背面板との接合部を結合されている。前記背面板と端部板が形成する下面開放の箱形容器の中へ吸音材が充填されている。前記下面開放の箱形容器の下面部に複数のルーバーが取付られている。そして、前記背面板が、高架道路裏面の下地材へ、吊り手段によって吊り支持されるものである。
【０００６】
【特許文献１】特許第３１９６１３８号公報
【特許文献２】特許第２９５３９８９号公報
【特許文献３】特願２００１−３５５３４７号（平成１３年１１月２０日の出願）
【０００７】
【発明が解決しようとする課題】
上述した特許文献１の「桁下裏面側の足場兼用吸音システム」は、同システムを構成する各部材を、桁下裏面へ吊り下げた小梁に対して順に組み上げてゆく方法で構築されるから、現場での組立作業が中心となり、現場への搬入部材の種類と数量が多く、その管理が面倒である。その上、現場での組み立て作業の工数が多く、手間が多く掛かって工期が長引くという問題点がある。
【０００８】
その点、上記特許文献２の「吸音パネル」は、必要な複数部材を統合しユニット化した構成であるから、工場加工が増え、その分だけ現場への搬入部材の種類と数量を節減でき、現場での組立工数を減らし、工事期間を短縮できる利点が認められる。しかしながら、この吸音パネルの構成は、パネルの周側壁を形成する、横断面が溝形鋼状の枠材を矩形状に枠組みして上下面を開放されたパネル枠（周側壁）を形成するから、枠組み作業に多くの手間がかかる。また、パネル枠の下面側に複数のルーバーを一定の間隔をあけて取り付ける手段に関しては、ルーバーの両端部を相対向する枠材の表面（下面）にそれぞれ係止させるとのみ説明されているだけで、図面にも具体的記載は見当たらない。
【０００９】
いずれにしても、ルーバーの取付け手段は、従来技術の常として、個別に、上方から下向き姿勢でのみ取付け可能な構成と推定される。よって、供用中のルーバーが破損等して取り換え補修の必要が生じた場合、破損したルーバーだけを取り換えることは不可能で、ルーバーと共にユニット化された「吸音パネル」を全体として取り換え補修する以外に手段はなく、技術的に甚だ困難で不経済なものである。
【００１０】
上記特許文献３の発明に係る「高架道路裏面吸音板用ユニット式ルーバーシステム」は、上記した特許文献２の欠点や問題点を全て解決している。即ち、構造が簡単で、構成部材に特注品がなく、比較的簡単な加工で容易に安価に製造できる。しかも、高架道路裏面の下地材への取り付けが、１ユニット当たり４本程度の少ないボルト数のボルト止めで目的を達成でき、現場作業の工数節減に寄与するところ大である。
【００１１】
本発明の目的は、上記特許文献３の発明を基礎として、更に下記の技術的課題を解決することである。
即ち、従来の高架道路裏面のルーバーシステムは、高架道路裏面の景観を良好にすること、及び吸音機能の面ではほぼ満足できるものである。しかし、その供用中に不慮の事故や災害などで一部又は全部のルーバーに破損などを生じて交換、修理の必要が発生した場合には、甚だ困難なことになる。というのも、既往のルーバーシステムは全て、ルーバーの着脱を上方から下向きの作業姿勢で行う構成になっており、高架道路の桁下の地面側からルーバーの着脱を行うことは不可能な構成である。そこで仮に上方側からルーバーの着脱を下向きの作業姿勢で行う場合には、先ず歩廊材を撤去し、吸音材を撤去しなければならない。しかし、歩廊材を撤去した時点でその補修作業対象部位に作業用足場が存在しないことになるから、別途、仮設足場を用意しなければならない。しかし、下向きの作業姿勢でルーバーの着脱を行うに適した足場を用意することは、甚だ難しい条件の要求であり、実施の可能性が危ぶまれる。勿論、前記仮設足場の用意と並行して、人や物の落下事故を防止する養生手段の準備も不可欠である。
【００１２】
よって本発明の目的は、上記の課題を解決するため、ルーバーの新規取り付け及び交換修理の作業を、高架道路の桁下の地面側（下方側）から行なえる構成とし、少ない仮設材により、安全且つ容易にルーバーの新規取り付けや交換修理の作業を行える高架道路裏面のルーバーシステム及びルーバー補修方法を提供することである。
本発明の次の目的は、一次、二次と念入りな脱落防止措置を施した高架道路裏面のルーバーシステムを提供することである。
【００１３】
【課題を解決するための手段】
上述の課題を解決するための手段として、請求項１に記載した発明に係る高架道路裏面のルーバーシステムは、
平面が矩形状の背面板と、同背面板の四辺に設けられた側壁板とにより下面を開放した箱状体が形成されており、
前記箱状体の下面に複数のルーバーが略平行に配置されていること、
前記複数のルーバーは、その上面部を少なくとも２本の直交方向に配置した保持材と結合したルーバーユニットとして構成されており、前記保持材が、前記箱状体において保持材と平行な配置の側壁板へ取り付けられていること、
前記背面板が、高架道路裏面の下地材へ、吊り手段によって吊り支持されることをそれぞれ特徴とする。
【００１４】
請求項２に記載した発明に係る高架道路裏面のルーバーシステムは、
平面が矩形状の背面板と、同背面板の長辺及び短辺に設けられた側壁板とにより下面を開放された箱状体が形成されており、
前記箱状体の下面に複数のルーバーが略平行に配置されていること、
前記複数のルーバーは、その上面部を、直交方向に配置した少なくとも２本の保持材と結合したルーバーユニットとして構成されており、前記の各保持材が、前記箱状体へ保持材と平行な配置に設けられユニット固定部材へ取り付けられていること、
前記背面板が、高架道路裏面の下地材へ、吊り手段によって吊り支持されることをそれぞれ特徴とする。
【００１５】
請求項３に記載した発明は、請求項１又は２に記載した高架道路裏面のルーバーシステムにおいて、下面を開放された箱状体の中に吸音材が充填されていることを特徴とする。
【００１６】
請求項４に記載した発明は、請求項１又は２又は３に記載した高架道路裏面のルーバーシステムにおいて、
背面板に下方へ屈曲した１乃至複数個の溝形部が形成されており、背面板と側壁板が形成する箱状体の中へ充填した吸音材の上面位置は前記溝形部の下底面へ接触して規制され、同吸音材の上面と背面板との間に空隙が確保されていること、
前記溝形部の溝内に吊り金具が設置され、前記吊り金具に頭を支持された上向きのボルトを吊り手段として背面板が高架道路裏面の下地材へ吊り支持されること、
背面板の溝形部の両端は側壁板によって閉鎖されていることをそれぞれ特徴とする。
【００１７】
請求項５に記載した発明は、請求項１又は２に記載した高架道路裏面のルーバーシステムにおいて、
箱状体内の長辺方向の中間位置に、短辺方向の側壁板と平行な配置でユニット固定部材が設けられており、このユニット固定部材にルーバーユニットの保持材が取り付けられていることを特徴とする。
【００１８】
請求項６に記載した発明は、請求項１又は２又は５に記載した高架道路裏面のルーバーシステムにおいて、
ルーバーユニットの保持材は、複数のルーバーが相互間に間隔をあけて平行に配置された間隔部分を利用して、箱状体の側壁板或いはユニット固定部材へ取付金具により取り付けられていることを特徴とする。
【００１９】
請求項７に記載した発明は、請求項１又は２又は５又は６に記載した高架道路裏面のルーバーシステムにおいて、
ルーバーユニットの保持材には、複数のルーバーが相互間に間隔をあけて平行に配置された間隔部分にボルト孔が複数設けられており、箱状体の側壁板およびユニット固定部材には、保持材に設けられた前記ボルト孔と対応する位置に、取付用ボルトの頭を通す口径の円孔、及び同円孔と一連に同取付用ボルトの軸部を通す幅寸で長孔を形成して成るボルト孔が設けられており、下方から前記円孔へ頭を通し前記長孔へ軸部を位置させた取付用ボルトの軸部へ保持材のボルト孔を通し、下方からナットを締め込んでボルト止めによる取り付けが行われていることを特徴とする。
【００２０】
請求項８に記載した発明は、請求項７に記載した高架道路裏面のルーバーシステムにおいて、ボルト止め用のナットとして緩み止めナットが使用されていることを特徴とする。
【００２１】
請求項９に記載した発明は、請求項７又は８に記載した高架道路裏面のルーバーシステムにおいて、
取付用ボルトの首部に軸部を幅狭にする平面部が形成されており、側壁板及びユニット固定部材のボルト孔における長孔の幅寸は前記平面部の位置におけるボルト軸部の幅寸を通し得る大きさとされ、取付用ボルトは首部の平面部を前記長孔へ通してボルト止めが行われていることを特徴とする。
【００２２】
請求項１０に記載した発明は、請求項１又は２又は５に記載した高架道路裏面のルーバーシステムにおいて、
背面板の長辺方向の側壁板の下縁に内方へ折り曲げたリップ部が形成されており、短辺方向の側壁板及び中間位置のユニット固定部材の両端部は、その下縁部を前記リップ部の上に載せて背面板と結合されており、ルーバーの保持材は前記両側のリップ部の内法寸法よりも短く形成されていることを特徴とする。
【００２３】
請求項１１に記載した発明は、請求項１又は２に記載した高架道路裏面のルーバーシステムにおいて、
ルーバーは、上面に開口を有する倒立台形状の中空部材であり、その上面の中央部に下向きに曲げたリップの間の平行な間隔部が吹き抜け開口部として形成されており、ルーバーの前記両側のリップの下縁に掛け止めた吊り具、および同吊り具の中央部に上向きに設けられ前記吹き抜け開口を上方へ立ち上がるボルトが保持材のボルト孔へ通され、上方からナットが締め込まれていることを特徴とする。
【００２４】
請求項１２に記載した発明は、請求項１及び２又は５ないし７並びに１１のいずれか一に記載した高架道路裏面のルーバーシステムにおいて、ルーバーには、その上面部を除く各面に多数の吸音孔が設けられていることを特徴とする。
【００２５】
請求項１３に記載した発明は、請求項２又は５又は６及び７又は９及び１０のいずれか一に記載した高架道路裏面のルーバーシステムにおいて、
ユニット固定部材は断面がＺ形状の板材から成り、その上側フランジが背面板と結合されており、下側フランジにルーバーの保持材がボルト止めで取り付けられていることを特徴とする。
【００２６】
請求項１４に記載した発明は、請求項１ないし７又は９及び１０のいずれか一に記載した高架道路裏面のルーバーシステムにおいて、
短辺方向の側壁板は上下に同じ向きのフランジを有する溝形鋼状の板材から成り、その上側フランジは背面板に結合され、下側フランジはその両端部の下面を長辺方向の側壁板のリップ部の上に載せていることを特徴とする。
【００２７】
請求項１５に記載した発明は、請求項１ないし７又は９及び１０並びに１３又は１４のいずれか一に記載した高架道路裏面のルーバーシステムにおいて、背面板の上面部に、落下防止用ワイヤーを通す孔を備えた吊り金具がヒンジを介して起伏自在に設置されていることを特徴とする。
【００２８】
請求項１６に記載した発明に係る高架道路裏面のルーバーの補修方法は、
平面が矩形状の背面板と、背面板の四辺に設けられた側壁板とにより下面を開放した箱状体を形成し、その背面板を高架道路裏面の下地材へ吊り手段によって吊り支持されており、且つ、前記箱状体の下面に略平行に配置する複数のルーバーは、各々の上面部を、直交方向に配置した少なくとも２本の保持材と結合したルーバーユニットとして構成し、前記保持材が、前記箱状体において保持材と平行な配置の側壁板又はユニット固定部材の下縁部と、前記複数のルーバー相互間の間隔部分の位置を利用して取付金具により取り付けた高架道路裏面のルーバーを補修する方法であって、
前記取付金具を下方側から解除することによって、前記ルーバーユニットを保持材と共に取り外し、
次いで、複数のルーバーと、その上面部に該ルーバーと直交する方向に取付けられた複数の保護材とより成る新規のルーバーユニットを前記箱状体の側壁板又はユニット固定部材に下方側から取付金具により取り付けることを特徴とする。
【００２９】
請求項１７に記載した発明は、請求項１６に記載した高架道路裏面のルーバーの補修方法において、
ルーバーユニットの保持材には、複数のルーバーが相互間に間隔をあけて平行に配置された間隔部分にボルト孔が複数設けられており、箱状体の側壁板およびユニット固定部材には、保持材に設けられた前記ボルト孔と対応する位置に、取付用ボルトの頭を通す口径の円孔、及び同円孔と一連に同取付用ボルトの軸部を通す幅寸で長孔を形成して成るボルト孔が設けられており、下方から前記円孔へ頭を通し前記長孔へ軸部を位置させた取付用ボルトの軸部へ保持材のボルト孔を通し、下方からナットを締め込んでボルト止めによる取り付けが行われることを特徴とする。
【００３０】
【発明の実施形態】
以下に、図面を参照して、請求項１〜１５に記載した発明に係る高架道路裏面のルーバーシステムの実施形態を説明する。
図１に示したように、平面が矩形状の背面板１と、この背面板１の四辺に設けられた側壁板２、３とにより下面を開放した箱状体が形成され、前記箱状体の下面に複数のルーバー４…が相互間に適度な間隔をあけて各々略平行に配置されている。
１個の箱状体に配置される前記複数のルーバー４…は、図２に例示したように、各々の上面部の長手方向に間隔を開けて直交方向に配置した３本（但し、少なくとも２本以上であれば可）の保持材５と後述する構造で結合し、一単位のルーバーユニットとして構成されている。
【００３１】
ちなみに、ルーバー４は、図４に示すように、上面に開口を有する倒立台形状の中空部材であり、その上面の中央部に、下向きに曲げたリップ４ａ、４ａの間の平行な間隔部が吹き抜け開口部４ｂとして形成されている。該ルーバー４の前記両側のリップ４ａ、４ａの下縁に図５のように掛け止めた吊り具１４は、その中央部に上向きに設けられ前記吹き抜け開口４ｂを上方へ立ち上がるボルト１５を有し、該ボルト１５が保持材５のボルト孔２１（図６）へ通され、上方からナット１６を締め込んで保持材５への結合が行われている（請求項１１記載の発明）。
【００３２】
ルーバー４には、通例図１又は図３に示したように、その上面部を除く各面に多数の吸音孔４ｃが設けられ、吸音効果に有益な所定の開口率が達成されている（請求項１２記載の発明）。
【００３３】
上記構成のルーバーユニットは、各保持材５を、前記箱状体において各保持材５と対応する位置へ平行に配置された短辺方向の側壁板３、３、或いは別途箱状体に取り付けられたユニット固定部材６へ後述の構造で取り付けられ、もってルーバーユニットの一括取り付けが行われている。
なお、後述するルーバーの補修方法を下方側から上向きの作業として行えるようにするために、ルーバーユニットの保持材５は、複数のルーバー４…が例えば図５に示したように相互間に１２５ｍｍ程度の間隔をあけて平行に配置されている場合に、その間隔部分Ｓを利用して、箱状体の側壁板３或いはユニット固定部材６へ取付金具Ｋ（但し、ボルト止めには限らない。）により取り付けられている（請求項６記載の発明）。
【００３４】
上記の背面板１が、高架道路裏面の下地材（例えば図３に示す小梁８）へ、後述する吊り手段によって吊り支持される（以上、請求項１、２記載の発明）。
【００３５】
いわゆる歩廊材を兼ねる上記背面板１は、板厚が１ｍｍ程度の亜鉛メッキ鋼板（鋼製波板を含む）で構成され、図２の場合は、長辺方向の両側辺を下方へほぼ直角に折り曲げて側壁板２、２が形成されている。同背面板１の短辺方向の側壁板３、３は、図２の場合、別途用意した壁板を背面板１へ取り付けて箱状体を構成する構造の例を示している。しかし、この実施例の限りではない。背面板１の四辺の側壁板２、３を、いずれも背面板１の折り曲げ加工で形成しても良く、又は逆に四辺の側壁板２、３をいずれも側壁板１とは別体の壁板又は枠体として成形加工し、これらを背面板１の四辺へ接合して、又は枠体を背面板１とは別異に枠組みした後に背面板１を取り付ける手法などで構成することもできる（請求項１記載の発明）。
【００３６】
ちなみに背面板１の通例の大きさは、長辺方向の長さが約２ｍの場合と約３ｍの場合とがある。背面板１の短辺方向の長さは約７０ｃｍ位である。側壁板２、３の高さは約１１０ｍｍ程度に形成されている。長辺方向が前記のように長いため、図２の実施例では、箱状体内の長辺方向の中間位置に、短辺方向の側壁板３と平行な配置でユニット固定部材６が設けられており、このユニット固定部材６にもルーバーユニットの保持材５を取り付ける構成とされている（請求項５記載の発明）。但し、ルーバーユニットの保持材５の取り付けは、短辺方向の側壁板３に代わるユニット固定部材６を更に複数設けて、ユニット固定部材６にのみ取り付ける構成で実施することもできる（請求項２記載の発明）。図２はまた、前記構成の箱状体の中にマット状に成形加工した吸音材７が充填される例を示している（請求項３記載の発明）。
ユニット固定部材６は断面がＺ形状の板材から成り、その上側フランジ６ａが背面板１と結合されている。下側フランジ６ｂにルーバーの保持材５がボルト止めで取り付けられる（請求項１３記載の発明）。
【００３７】
上記の背面板１の長辺方向には、図２、図５の場合、下方へ倒立台形状に屈曲した２個（１乃至複数個で可）の溝形部１０が形成され、背面板１と四辺の側壁板２、３が形成する箱状体の中へ充填した吸音材７は、図５に示したように、吸音材７の上面位置は前記溝形部１０の下底面へ接触して規制され、同吸音材７の上面と背面板１との間に、吸音効果に有益な空隙Ｇが確保されている。
また、前記溝形部１０の溝内の両端位置に吊り金具１１が設置されている。この吊り金具１１に関しては、先の特許文献３（特願２００１−３５５３４７号）の明細書及び図面に詳しく開示している。簡単に説明すると、吊り金具１１は溝形部１０の深さ以下のせいから成り、上下２段に分かれて長手方向に溝形状部分１１ｂと角孔状部分１１ａを有する。下段の角孔状部分１１ａを利用して背面板１とのボルト止め１３が行われている。吊り金具１１の上段の溝形状部分１１ｂに頭を通したボルト１２が上向きに立てられ、前記上向きのボルト１２を高架道路裏面の下地材（小梁８）へ接合して吊り支持が行われている。
なお、背面板１の前記溝形部１１の両端は短辺方向の側壁板３によって閉鎖されている。よって、溝形部１０内へ落ちたボルトやナット類その他が不用意に下方へ落下する事故は未然に防止することができる（以上請求項４記載の発明）。
【００３８】
次に、上記背面板１の短辺方向の側壁板３は、同背面板１の短辺方向と同等な長さを有する。また、長辺方向の側壁板２と同等な高さに形成されている。より具体的には図３と図４に示しているように、短辺方向の側壁板３は、上下に同じ向きのフランジ３ａと３ｂを有する溝形鋼状の板材から成り、その上側フランジ３ａは背面板１の上面部に重ねて例えばリベット９で一体的に結合される（図３）。下側フランジ３ｂは、その両端部の下面を、長辺方向の側壁板２の下縁のリップ部２ａの上に載せている（図２、図５＝請求項１４記載の発明）。
【００３９】
上記構成の側壁板３の下縁へ、上記した構成のルーバーユニットの保持材５を下方側から上向き姿勢で着脱可能に取り付ける手段として、上述したように、ルーバーユニットの保持材５には、複数のルーバー４、４が相互間に間隔をあけて平行に配置された間隔部分Ｓを利用して、箱状体の側壁板３或いはユニット固定部材６へ取付金具Ｋで取り付けられている（請求項６記載の発明）。
【００４０】
図４は、上記取付金具Ｋがボルト止め手段である場合の実施例を示す。即ち、ルーバーユニットの保持材５には、複数のルーバー４、４…が相互間に間隔をあけて平行に配置された間隔部分Ｓ（図５参照）にボルト孔１７が複数設けられている（図６）。一方、箱状体の短辺方向の側壁板３、及びユニット固定部材６には、保持材５に設けられた前記ボルト孔１７と対応する位置に、取付用ボルト１８の頭を通す大きさの口径を有する円孔１９ａと一連に同取付用ボルト１８の軸部を通す幅寸の長孔１９ｂを形成したボルト孔１９が設けられている（図６参照）。つまり、取付用ボルト１８は、下方側から前記円孔１９ａへ頭を通し、更に横移動させて前記長孔１９ｂへ軸部を位置させる。この取付用ボルト１８の軸部へ、下方側から当てがった保持材５のボルト孔１７を通し、下方側からナット２０を締め込んでボルト止めによる取り付けが行われる（請求項７記載の発明）。したがって、逆に下方側からナット２０を緩めて外せば、保持材５と共にルーバーユニットの着脱操作、ひいては交換等による補修作業を楽に行えるのである。
別途図示して説明することは省略したが、ユニット固定部材６の下側フランジにも同様に円孔１９ａと長孔１９ｂとより成るボルト孔１９が設けられ、同様なボルト止めが行われる。
なお、図４中の符号５ａは、保持材５の剛性を高める立ち上がり部分の先端の折り返しを指す。吸音材を傷つけないための配慮による。
【００４１】
なお、上記ボルト止めの緩み止め措置として、そのボルト止めに使用するナット２０には、公知の緩み止めナットが好適に使用される（請求項８記載の発明）。因みに緩み止めナットは、実公昭４６−８４９６号公報その他に開示されている。
【００４２】
なお、下方側から上向きの作業としてルーバーユニットの着脱操作、交換補修等の作業を楽に行えるようにする工夫として、図４に示したように、取付用ボルト１８の首部には、軸部を幅狭にする平面部１８ａが形成されている。そして、側壁板３及びユニット固定部材６の上述したボルト孔１９における長孔１９ｂの幅寸は、前記平面部１８ａの位置におけるボルト軸部の幅寸を通し得る大きさに形成されている。つまり、取付用ボルト１８は、首部の平面部１８ａを前記長孔１９ｂへ通すことにより、同取付用ボルト１８は上下方向（軸方向）へ動く心配が無く、また、ナット２０を締めたり緩めたりする作業の際に共回りしない状態に安定する。よって、ルーバーユニットを下方側から持ち上げて保持材５のボルト孔１７へ取付用ボルト１８の軸部を通す作業を楽に確実に行えるし、ナット２０の締め緩め作業を効率よく行えるのである（請求項９記載の発明）。また、図６に示したように、短辺方向の側壁板３（及びユニット固定部材６）に設けるボルト孔１９の中の少なくとも１個については、長孔１９ｂを設ける位置と向きを１８０°正反対の向きとする。かくすると、保持材５のボルト孔１７との関係で、長孔１９ｂに対する長手方向の位置が確定し、側壁板３（及びユニット固定部材６）と保持材５との間に位置ズレを起こす心配が無く、正確な位置に着脱できる。
【００４３】
次に、上記背面板１の長辺方向の側壁板２の下縁には、図２に示したように、内方へ折り曲げたリップ部２ａが形成されている。そして、短辺方向の側壁板３及び中間位置のユニット固定部材６の両端部は、その下縁部を前記リップ部２ａの上に載せて背面板１と安定状態に結合されている。また、ルーバー４の保持材５は、前記両側のリップ部２ａ、２ａの内法寸法よりも短く形成されている。その理由は、ルーバーユニットを下方側から持ち上げて保持材５のボルト孔１７へ取付用ボルト１８の軸部を通す作業を楽に確実に行えるようにする為である（請求項１０記載の発明）。
【００４４】
本発明の高架道路裏面のルーバーシステムにも、脱落防止の措置として、図３に示したように、背面板１の上面部に、落下防止用ワイヤーを通す孔２２を備えた吊り金具２３がヒンジを介して起伏自在に設置されている（請求項１５記載の発明）。
【００４５】
最後に、請求項１６及び１７に記載した発明に係る高架道路裏面のルーバーの補修方法について説明する。
このルーバー補修方法は、上に説明した高架道路裏面のルーバーシステムの構成を前提として成立する。即ち、平面が矩形状の背面板１と、同背面板１の四辺に設けられた側壁板２、３とにより下面を開放した箱状体を形成し、その背面板を高架道路裏面の下地材８へ吊り手段によって吊り支持する。箱状体の中に吸音材を充填するか否かは、用途に応じて決定する。
前記箱状体の下面に略平行に配置する複数のルーバー４…は、各々の上面部を少なくとも２本の直交方向に配置した保持材５と結合したルーバーユニットとして構成する。そして、前記保持材５を、前記箱状体において同保持材５と平行な配置で設けた側壁板３及び／又はユニット固定部材６の下縁部と、前記複数のルーバー４、４相互間の間隔部分Ｓの位置を利用して取付金具Ｋにより取り付ける。
したがって、前記のルーバーユニットは、前記の取付金具Ｋを下方側から解除することによって保持材５と共に取り外す。ルーバーユニットの中で損傷しているルーバーを取り替え、或いは新規に用意したルーバーユニットの保持材５を、前記箱状体の側壁板３又はユニット固定部材６へ下方側から再び取付金具Ｋにより取り付ける。
【００４６】
なお、上記の補修方法を実施する場合、ルーバーユニットの保持材５には、複数のルーバー４、４…が相互間に間隔をあけて平行に配置された間隔部分Ｓにボルト孔１７を複数設ける。箱状体の短辺方向の側壁板３およびユニット固定部材６には、保持材５に設けられた前記ボルト孔１７と対応する位置に、取付用ボルト１８の頭を通す口径の円孔１９ａ、及び同円孔１９ａと一連に同取付用ボルト１８の軸部を通す幅寸で長孔１９ｂを形成したボルト孔１９を設けておく。従って、下方から前記円孔１９ａへ頭を通し前記長孔１９ｂへ軸部を位置させた取付用ボルト１８の軸部へ保持材５のボルト孔１７を通し、下方からナット２０を締め込むボルト止めによる取付けを容易かつ迅速に行うことができる。
【００４７】
つまり、高架道路裏面の桁下側（下方側＝地上側）から上向きの作業姿勢でルーバーユニットの着脱を行うから、例えば道路に作業台車を用意すれば簡単に、安全に実施でき、道路交通の障害度も極めて低い。他に仮設足場や養生枠などを必要としない。
【００４８】
なお、本発明のルーバーシステムは、高架道路裏面への適用に限らず、同様な対策を必要とする高架鉄道、高架橋などの裏面へも全く同様に使用できる。
【００４９】
【発明の効果】
請求項１〜１７に記載した発明に係る高架道路裏面のルーバーシステム及びルーバー補修方法によれば、ルーバーの新規取り付け及び交換修理の作業を、高架道路の桁下の地面側（下方側）から行なえる構成であり、少ない仮設材により、安全且つ容易にルーバーの新規取り付けや交換修理の作業を行える。
本発明はまた、一次、二次と念入りな脱落防止措置を施した高架道路裏面のルーバーシステムを提供できる。
【図面の簡単な説明】
【図１】本発明に係るルーバーシステムを下から見上げて示した斜視図である。
【図２】本発明に係るルーバーシステムの各構成部材を分解して示した斜視図である。
【図３】本発明に係るルーバーシステムの正面方向の長さを省略して示した断面図である。
【図４】ルーバーユニットの取付構造を示した分解斜視図である。
【図５】本発明に係るルーバーシステムの側面方向の断面図である。
【図６】側壁板及び保持材のボルト孔の位置を例示した図である。
【符号の説明】
１　　　背面板
２　　　側壁板
３　　　側壁板
４　　　ルーバー
５　　　保持材
８　　　高架道路裏面の下地材
６　　　ユニット固定部材
７　　　吸音材
１０　　溝形部
Ｇ　　　空隙
１１　　吊り金具
１２　　上向きのボルト
Ｋ　　　取付金具
Ｓ　　　間隔部分
１７　　ボルト孔
１８　　取付用ボルト
１９ａ　円孔
１９ｂ　長孔
１９　　ボルト孔
２０　　ナット
１８ａ　取付用ボルトの首部の平面部
２ａ　　リップ部
４ａ　　リップ
４ｂ　　吹き抜け開口部
２１　　ボルト孔
１６　　ナット
３ａ　　上側フランジ
３ｂ　　下側フランジ
２２　　落下防止用ワイヤーを通す孔
２３　　吊り金具
【図１】
2004137804.tif 000003
【図２】
2004137804.tif 000004
【図３】
2004137804.tif 000005
【図４】
2004137804.tif 000006
【図５】
2004137804.tif 000007
【図６】
2004137804.tif 000008